(57)【特許請求の範囲】
【請求項１】
開口部を有する装置本体であって、前記開口部を閉鎖する閉位置および前記開口部を開放する開位置に移動可能なカバーを有する装置本体と、
前記開口部を介して、前記装置本体に着脱可能なプロセスカートリッジと
を備え、
前記プロセスカートリッジは、
感光ドラムと、前記感光ドラムを支持するドラムフレームとを有するドラムカートリッジと、
トナーを収容し、前記ドラムカートリッジに着脱可能なトナーカートリッジと
を備え、
前記装置本体は、前記開口部内に設けられ、前記カバーが前記開位置に位置するときに、前記ドラムフレームを支持可能な第１支持部を備え、
前記カバーは、
前記カバーが前記開位置に位置するときに、前記開口部外に設けられ、前記ドラムフレームを支持可能な第２支持部であって、前記カバーが前記開位置に位置するときに、前記プロセスカートリッジの着脱方向において前記第１支持部と間隔を隔てて配置された第２支持部と、
前記ドラムフレームが前記第１支持部および前記第２支持部に支持されるときに、前記ドラムフレームを支持可能な支持台であって、前記カバーが前記開位置に位置するときに、前記着脱方向において、前記第２支持部と前記第１支持部との間に位置する支持台と、を備え、
前記第１支持部および前記第２支持部は、前記ドラムフレームが前記第１支持部および前記第２支持部に支持されているときに、前記着脱方向における前記ドラムフレームの移動を規制するように構成されていることを特徴とする、画像形成装置。
【請求項２】
前記第１支持部および前記第２支持部は、前記ドラムフレームが前記第１支持部および前記第２支持部に支持されるときに、前記着脱方向において、前記ドラムフレームを挟持することを特徴とする、請求項１に記載の画像形成装置。
【請求項３】
前記プロセスカートリッジは、前記ドラムカートリッジに対して前記トナーカートリッジが装着され、前記トナーカートリッジの離脱が規制された状態と、前記ドラムカートリッジに対する前記トナーカートリッジの規制が解除され、前記トナーカートリッジが前記ドラムカートリッジから離脱可能な状態とに切り替える切替部材を備え、
前記切替部材の少なくとも一部は、前記ドラムフレームが前記第１支持部および前記第２支持部に支持されるときに、前記開口部外に位置することを特徴とする、請求項１または２に記載の画像形成装置。
【請求項４】
前記切替部材は、前記ドラムフレームに設けられていることを特徴とする、請求項３に記載の画像形成装置。
【請求項５】
前記トナーカートリッジは、ハンドルを備え、
前記ハンドルの少なくとも一部は、前記ドラムフレームが前記第１支持部および前記第２支持部に支持されるときに、前記開口部外に位置することを特徴とする、請求項１〜４のいずれか一項に記載の画像形成装置。
【請求項６】
前記支持台は、前記プロセスカートリッジが前記装置本体に装着され、前記カバーが前記閉位置に位置するときに、前記プロセスカートリッジから離間していることを特徴とする、請求項１〜５のいずれか一項に記載の画像形成装置。
【請求項７】
前記カバーは、前記カバーが前記閉位置に位置するときに、前記装置本体に装着された前記プロセスカートリッジの前記トナーカートリッジを押圧するように構成された押圧部を備え、
前記押圧部は、前記カバーが前記開位置に位置し、前記プロセスカートリッジが前記第１支持部および前記第２支持部に支持されたときに、前記プロセスカートリッジから離間していることを特徴とする、請求項１〜６のいずれか一項に記載の画像形成装置。
【請求項８】
前記押圧部は、前記カバーが前記開位置に位置し、前記プロセスカートリッジが前記第１支持部および前記第２支持部に支持されたときに、前記着脱方向および前記感光ドラムの軸線方向と直交する第１方向において、前記プロセスカートリッジから離間していることを特徴とする、請求項７に記載の画像形成装置。
【請求項９】
前記支持台は、前記感光ドラムの軸線方向において、前記押圧部よりも外方に配置されていることを特徴とする、請求項７または８に記載の画像形成装置。
【請求項１０】
前記装置本体は、
用紙を搬送するための搬送ローラと、
前記搬送ローラを被覆する搬送ローラカバーと
を備え、
前記第１支持部は、前記搬送ローラカバーを含むことを特徴とする、請求項１〜９のいずれか一項に記載の画像形成装置。
【請求項１１】
前記ドラムカートリッジは、前記感光ドラムをクリーニングするように構成されたクリーニングユニットを備え、
前記クリーニングユニットは、
前記感光ドラムと接触するように構成されたクリーニング部材と、
前記感光ドラムの表面から除去した廃トナーを収容するように構成された廃トナー収容部と
を備え、
前記第１支持部は、前記カバーが前記開位置に位置するときに、前記廃トナー収容部を支持可能であることを特徴とする、請求項１〜９のいずれか一項に記載の画像形成装置。
【請求項１２】
開口部を有する装置本体であって、前記開口部を閉鎖する閉位置および前記開口部を開放する開位置に移動可能なカバーを有する装置本体と、
前記開口部を介して、前記装置本体に着脱可能なプロセスカートリッジと
を備え、
前記プロセスカートリッジは、
感光ドラムと、前記感光ドラムを支持するドラムフレームとを有するドラムカートリッジと、
トナーを収容し、前記ドラムカートリッジに着脱可能なトナーカートリッジと
を備え、
前記装置本体は、
用紙を搬送するための搬送ローラと、
前記開口部内に設けられ、前記カバーが前記開位置に位置するときに、前記ドラムフレームを支持可能な第１支持部であって、前記搬送ローラを被覆する搬送ローラカバーを含む第１支持部と、を備え、
前記カバーは、前記カバーが前記開位置に位置するときに、前記開口部外に設けられ、前記ドラムフレームを支持可能な第２支持部であって、前記カバーが前記開位置に位置するときに、前記プロセスカートリッジの着脱方向において前記第１支持部と間隔を隔てて配置された第２支持部を備え、
前記第１支持部および前記第２支持部は、前記ドラムフレームが前記第１支持部および前記第２支持部に支持されているときに、前記着脱方向における前記ドラムフレームの移動を規制するように構成されていることを特徴とする、画像形成装置。
【発明の詳細な説明】
【技術分野】
【０００１】
本発明は、電子写真方式が採用される画像形成装置に関する。
【背景技術】
【０００２】
電子写真方式の画像形成装置として、トナーを収容し、感光ドラムと現像スリーブとを有するプロセスカートリッジを備える画像形成装置が知られている。
【０００３】
このような画像形成装置として、プロセスカートリッジを交換するときや、用紙詰まりなどのメンテナンス時に、カートリッジドアが開放され、カートリッジドアのカートリッジドアガイドにプロセスカートリッジが仮置きされる画像形成装置が知られている（例えば、特許文献１参照）。
【先行技術文献】
【特許文献】
【０００４】
【特許文献１】特開２００６−５８３５０号公報
【発明の概要】
【発明が解決しようとする課題】
【０００５】
しかるに、上記した特許文献１に記載の画像形成装置では、プロセスカートリッジは、カートリッジドアガイドに仮置きされているのみであり、少しの衝撃や振動で、カートリッジドアガイドから、容易に脱落する不具合がある。
【０００６】
また、この画像形成装置に対して、ドラムカートリッジと、トナーカートリッジとに分離可能なプロセスカートリッジを採用することが検討される。
【０００７】
このようなプロセスカートリッジを採用した画像形成装置では、プロセスカートリッジがカートリッジガイドに仮置きされた状態で、ドラムカートリッジに対してトナーカートリッジを、操作性良く交換したいという要望がある。
【０００８】
そこで、本発明の目的は、プロセスカートリッジが、装置本体とカバーとによって固定された状態で、ドラムカートリッジに対して、トナーカートリッジが容易に交換される画像形成装置を提供することにある。
【課題を解決するための手段】
【０００９】
本発明の画像形成装置は、開口部を有する装置本体であって、開口部を閉鎖する閉位置および開口部を開放する開位置に移動可能なカバーを有する装置本体と、開口部を介して、装置本体に着脱可能なプロセスカートリッジとを備え、プロセスカートリッジは、感光ドラムと、感光ドラムを支持するドラムフレームとを有するドラムカートリッジと、トナーを収容し、ドラムカートリッジに着脱可能なトナーカートリッジとを備え、装置本体は、カバーが閉位置に位置するときに、開口部内に設けられ、ドラムフレームを支持可能な第１支持部を備え、カバーは、カバーが開位置に位置するときに、開口部外に設けられ、ドラムフレームを支持可能な第２支持部であって、カバーが開位置に位置するときに、プロセスカートリッジの着脱方向において第１支持部と間隔を隔てて配置された第２支持部を備え、第１支持部および第２支持部は、ドラムフレームが第１支持部および第２支持部に支持されているときに、着脱方向におけるドラムフレームの移動を規制するように構成されている。
【発明の効果】
【００１０】
本発明の画像形成装置によれば、プロセスカートリッジが、装置本体とカバーとによって固定された状態で、ドラムカートリッジに対して、トナーカートリッジが容易に交換される。
【図面の簡単な説明】
【００１１】
【図１】図１は、本発明の画像形成装置の第１実施形態を示す中央断面図である。
【図２】図２Ａは、図１に示すドラムカートリッジの中央断面図である。図２Ｂは、図２Ａに示すドラムカートリッジの側面図である。
【図３】図３は、図１に示すプロセスカートリッジの中央断面図である。
【図４】図４は、図３に示すプロセスカートリッジの平面図である。
【図５】図５は、図１に示す画像形成装置に対するプロセスカートリッジの着脱を説明する説明図である。
【図６】図６は、図５に示すプロセスカートリッジおよび第１支持部の正面図である。
【図７】図７は、図５に示すプロセスカートリッジが、第１支持部、第２支持部および第３支持部に支持された状態を示す。
【図８】図８は、図７に示すプロセスカートリッジの着脱を説明する説明図である。
【図９】図９は、図８に示すプロセスカートリッジおよびカバーの正面図である。
【図１０】図１０は、本発明の画像形成装置の第２実施形態を示す中央断面図であって、プロセスカートリッジが装置本体に装着された状態を示す。
【図１１】図１１は、本発明の画像形成装の置第２実施形態を示す中央断面図であって、装置本体から離脱されたプロセスカートリッジが第１支持部、第２支持部および第３支持部に支持された状態を示す。
【図１２】図１２Ａは、本発明の画像形成装置の第３実施形態の前端部の中央断面図であって、カバーが閉位置に位置する状態を示す。図１２Ｂは、本発明の画像形成装置の第３実施形態の前端部の中央断面図であって、カバーが開位置に位置する状態を示す。
【図１３】図１３は、本発明の画像形成装置の第４実施形態を示す中央断面図であって、支持台が第２位置に位置し、トナーカートリッジの切替部材が規制解除位置に位置する状態を示す。
【図１４】図１４は、本発明の画像形成装置の第４実施形態を示す中央断面図であって、トナーカートリッジが離脱された状態を示す。
【図１５】図１５Ａは、図１３に示すトナーカートリッジの中央断面図である。図１５Ｂは、図１５Ａに示すトナーカートリッジの側面図である。図１５Ｃは、図１４に示すトナーカートリッジの中央断面図である。図１５Ｄは、図１５Ｃに示すトナーカートリッジの側面図である。
【発明を実施するための形態】
【００１２】
以下、画像形成装置１について説明する。以下の説明において、方向に言及するときには、図中に示す方向矢印を基準とする。
【００１３】
１．プリンタの概略
図１に示すように、画像形成装置１は、電子写真方式のモノクロプリンタである。画像形成装置１は、開口部９を有する装置本体２と、プロセスカートリッジ３と、スキャナユニット７と、第１搬送ローラ１６と、転写ローラ１８と、定着ユニット８と、読取部３５とを備える。
【００１４】
装置本体２は、略ボックス形状を有する。装置本体２は、カバー１０と、給紙トレイ１１と、排紙トレイ１２とを備える。
【００１５】
開口部９は、装置本体２の前端部に位置する。開口部９は、装置本体２の内外を連通する。開口部９は、プロセスカートリッジ３の通過を許容する。
【００１６】
カバー１０は、装置本体２の前端部に位置する。カバー１０は、上下方向に延びる略板状を有する。カバー１０は、装置本体２の前端部に、カバー１０の下端部を支点として揺動可能に支持される。カバー１０は、開口部９を閉鎖する閉位置と、開口部９を開放する開位置（図５参照）とに揺動可能である。
【００１７】
給紙トレイ１１は、装置本体２の下端部に位置する。給紙トレイ１１は、用紙Ｐを収容可能なトレイである。
【００１８】
排紙トレイ１２は、装置本体２の上面の前後方向略中央に位置する。排紙トレイ１２は、用紙Ｐが載置されるように、装置本体２の上面から下方へ凹む。
【００１９】
プロセスカートリッジ３は、装置本体２に対して着脱可能である。プロセスカートリッジ３は、装置本体２内の上下方向略中央に位置する。プロセスカートリッジ３は、給紙トレイ１１の上方かつ排紙トレイ１２の下方に位置する。プロセスカートリッジ３は、ドラムカートリッジ１４と、トナーカートリッジの一例としての現像カートリッジ１５とを備える。
【００２０】
ドラムカートリッジ１４は、感光ドラム１７と、感光ドラム１７の表面を帯電するように構成される帯電ローラ１９と、帯電ローラ１９の表面に付着した残トナーや紙粉などの付着物を除去するように構成される帯電クリーニングローラ２０と、感光ドラム１７に付着した付着物を回収し、貯留するように構成されるクリーニングユニット２１とを備える。
【００２１】
感光ドラム１７は、ドラムカートリッジ１４の後端部に位置する。感光ドラム１７は、左右方向に延びる略円筒形状を有する。
【００２２】
現像カートリッジ１５は、ドラムカートリッジ１４に着脱可能である。現像カートリッジ１５は、感光ドラム１７の前方に位置する。現像カートリッジ１５は、トナーを収容可能である。現像カートリッジ１５は、現像ローラ２５と、供給ローラ２６と、層厚規制ブレード２７とを備える。
【００２３】
現像ローラ２５は、現像カートリッジ１５の後端部に位置する。現像ローラ２５は、感光ドラム１７の表面に接触する。現像ローラ２５は、現像カートリッジ１５に回転可能に支持される。
【００２４】
供給ローラ２６は、現像ローラ２５の前方に位置する。供給ローラ２６は、現像ローラ２５の表面に接触する。供給ローラ２６は、現像カートリッジ１５に回転可能に支持される。
【００２５】
層厚規制ブレード２７は、現像ローラ２５の前方に位置する。層厚規制ブレード２７の下端部は、供給ローラ２６よりも上方で、現像ローラ２５の表面に接触する。
【００２６】
スキャナユニット７は、プロセスカートリッジ３の上方に位置する。スキャナユニット７は、感光ドラム１７に向けて画像データに基づくレーザービームＬを出射可能である。
【００２７】
第１搬送ローラ１６は、給紙トレイ１１の上方に位置する。
【００２８】
転写ローラ１８は、第１搬送ローラ１６の後方であって、感光ドラム１７の下方に位置する。転写ローラ１８は、感光ドラム１７に接触する。
【００２９】
定着ユニット８は、プロセスカートリッジ３の後方に位置する。定着ユニット８は、加熱ローラ３２と、加熱ローラ３２と接触する加圧ローラ３３とを備える。
【００３０】
読取部３５は、装置本体２の上方に位置する。読取部３５は、排紙トレイ１２の上方に間隔を隔てて位置する。読取部３５は、フラットベッドタイプのイメージスキャナである。読取部３５は、原稿の画像情報を読み取るように構成される。
【００３１】
画像形成装置１は、図示しない制御部の制御により、画像形成動作を開始する。すると、帯電ローラ１９は、感光ドラム１７の表面を一様に帯電する。スキャナユニット７は、レーザービームＬを出射し、感光ドラム１７の表面を露光する。これにより、画像データに基づく静電潜像が、感光ドラム１７の表面に形成される。
【００３２】
供給ローラ２６は、現像カートリッジ１５内のトナーを現像ローラ２５に供給する。このとき、トナーは、現像ローラ２５と供給ローラ２６との間で正極性に摩擦帯電される。現像ローラ２５は、帯電されたトナーを担持する。層厚規制ブレード２７は、現像ローラ２５に担持されたトナーの層厚を一定厚さに規制する。
【００３３】
そして、現像ローラ２５に担持されたトナーは、感光ドラム１７表面の静電潜像に供給される。これにより、トナー像が、感光ドラム１７の表面に担持される。
【００３４】
用紙Ｐは、給紙トレイ１１から、所定のタイミングで１枚ずつ送り出される。そして、用紙Ｐは、第１搬送ローラ１６、および、後述する第２搬送ローラ４９の回転により、感光ドラム１７と転写ローラ１８との間に給紙される。感光ドラム１７表面のトナー像は、用紙Ｐが感光ドラム１７と転写ローラ１８との間を通過するときに、用紙Ｐに転写される。
【００３５】
その後、用紙Ｐは、加熱ローラ３２と加圧ローラ３３との間を通過する。そして、用紙Ｐは、加熱ローラ３２と加圧ローラ３３との間を通過するときに加熱および加圧される。これにより、用紙Ｐ上のトナー像は、用紙Ｐに熱定着される。
【００３６】
その後、用紙Ｐは、排紙トレイ１２に排紙される。
【００３７】
２．プロセスカートリッジ
プロセスカートリッジ３は、装置本体２に対して、着脱可能である。
【００３８】
以下のプロセスカートリッジ３の説明では、プロセスカートリッジ３が装置本体２に装着された状態を基準とする。
【００３９】
（１）ドラムカートリッジ
ドラムカートリッジ１４は、図２Ａおよび図２Ｂに示すように、上記した感光ドラム１７を支持するドラムフレーム４０と、第２搬送ローラ４９と、上記したクリーニングユニット２１と、切替部材４１とを備える。
【００４０】
（１−１）ドラムフレームおよび第２搬送ローラ
ドラムフレーム４０は、凹部５１Ｒおよび溝部５３Ｒを有する右方の側壁４４Ｒと、凹部５１Ｌおよび溝部５３Ｌを有する左方の側壁４４Ｌと、前壁４５と、上壁４６と、下壁４７とを備える。
【００４１】
側壁４４Ｒは、図２Ａに示すように、ドラムフレーム４０の右端部に位置する。側壁４４Ｒは、前後方向および上下方向に延びる。側壁４４Ｒは、凸部４８Ｒと、ストッパ５２とを備える。
【００４２】
凸部４８Ｒは、前後方向において、側壁４４Ｒの後端部に位置する。凸部４８Ｒは、側壁４４Ｒの下端縁から、下方に向かって突出する。凸部４８Ｒは、左右方向に見て、略半円形形状を有する。凸部４８Ｒは、左右方向に見て、感光ドラム１７と重なる。凸部４８Ｒの下端部は、感光ドラム１７の下端部より下方に位置する。
【００４３】
ストッパ５２は、側壁４４Ｒの前端部に位置する。ストッパ５２は、側壁４４Ｒの左右方向内面から、左右方向内方に向かって突出する。ストッパ５２は、前後方向に向かい合う１対の板部材からなる。
【００４４】
凹部５１Ｒは、前後方向において、側壁４４Ｒの略中央に位置する。凹部５１Ｒは、側壁４４Ｒの下端縁から、上方に向かって凹んでいる。凹部５１Ｒは、左右方向に見て、略半円形状を有する。
【００４５】
溝部５３Ｒは、前後方向において、側壁４４Ｒの略中央に位置する。溝部５３Ｒは、前後方向に延びる。溝部５３Ｒは、前方が開放される。溝部５３Ｒは、感光ドラム１７の前方に位置する。溝部５３Ｒは、幅広部５４Ｒと、幅狭部５５Ｒとを備える。
【００４６】
幅広部５４Ｒは、溝部５３Ｒの前端部に配置される。幅広部５４Ｒは、後方に向かうにつれて、幅狭となる。
【００４７】
幅狭部５５Ｒは、幅広部５４Ｒの後端部から連続して、後方に向かって延びる。幅狭部５５Ｒの溝幅は、一定である。
【００４８】
側壁４４Ｌは、図２Ｂに示すように、ドラムフレーム４０の左端部に位置する。側壁４４Ｌは、側壁４４Ｒと同じ形状を有する。
【００４９】
前壁４５は、図２Ａに示すように、ドラムフレーム４０の前端部に位置する。前壁４５は、左右方向において、側壁４４Ｒと側壁４４Ｌとの間に位置する。前壁４５は、上下方向に延びる。
【００５０】
上壁４６は、ドラムフレーム４０の上端部に位置する。上壁４６は左右方向において、側壁４４Ｒと側壁４４Ｌとの間に位置する。上壁４６は、前後方向に延びる。上壁４６は、上下方向において、感光ドラム１７、帯電ローラ１９および帯電クリーニングローラ２０と重なる。
【００５１】
下壁４７は、ドラムフレーム４０の下端部に位置する。下壁４７は、凹部５１Ｒおよび凹部５１Ｌよりも前方に位置する。下壁４７は、左右方向において、側壁４４Ｒと側壁４４Ｌとの間に位置する。下壁４７は、前後方向に延びる。
【００５２】
なお、ドラムフレーム４０において、感光ドラム１７よりも前方の領域が、現像カートリッジ１５が装着される現像カートリッジ装着部４３である。
【００５３】
第２搬送ローラ４９は、図２Ａおよび図４に示すように、前後方向において、ドラムカートリッジ１４の前後方向略中央に位置する。第２搬送ローラ４９は、図１に示すように、第１搬送ローラ１６の上方に位置する。第２搬送ローラ４９は、第１搬送ローラ１６と接触する。第２搬送ローラ４９は、図２Ａに示すように、凹部５１Ｒおよび凹部５１Ｌに受け入れられる。第２搬送ローラ４９は、左右方向に延びる。第２搬送ローラ４９は、略円柱形状を有する。第２搬送ローラ４９は、ドラムフレーム４０に回転可能に支持される。図４に示すように、第２搬送ローラ４９の右端部は、ドラムフレーム４０の側壁４４Ｒよりも右方に突出する。第２搬送ローラ４９の左端部は、ドラムフレーム４０の側壁４４Ｌよりも左方に突出する。第２搬送ローラ４９の右端部および左端部が、突出部５０である。
【００５４】
（１−２）感光ドラム
感光ドラム１７は、円筒部１７Ａと、ドラム軸１７Ｂとを備える。
【００５５】
円筒部１７Ａは、感光ドラム１７の径方向において、感光ドラム１７の外周部分に位置する。円筒部１７Ａは、左右方向に延びる。円筒部１７Ａは、左右方向両端部が閉鎖された円筒形状を有する。円筒部１７Ａは、周面に感光層を有する。
【００５６】
ドラム軸１７Ｂは、感光ドラム１７の径方向において、感光ドラム１７の中央に位置する。ドラム軸１７Ｂは、左右方向に延びる。ドラム軸１７Ｂは、円柱形状を有する。ドラム軸１７Ｂの右端部は、図４に示すように、側壁４４Ｒに回転可能に支持される。ドラム軸１７Ｂの右端部は、側壁４４Ｒよりも右方に突出する。ドラム軸１７Ｂの左端部は、側壁４４Ｌに回転可能に支持される。ドラム軸１７Ｂの左端部は、側壁４４Ｌよりも左方に突出する。
【００５７】
（１−３）クリーニングユニット
クリーニングユニット２１は、図２Ａに示すように、感光ドラム１７の後方に位置する。クリーニングユニット２１は、開口２２Ａを有する廃トナー収容部２２と、クリーニング部材２３とを備える。
【００５８】
廃トナー収容部２２は、左右方向に延びる中空筒状を有する。廃トナー収容部２２の右端部は、側壁４４Ｒの後端部によって閉鎖される。廃トナー収容部２２の左端部は、側壁４４Ｌの後端部によって閉鎖される。
【００５９】
開口２２Ａは、廃トナー収容部２２の前壁に位置する。開口２２Ａは、廃トナー収容部２２の前壁を前後方向に貫通する。
【００６０】
クリーニング部材２３は、クリーニングブレードである。クリーニング部材２３は、板形状を有する。クリーニング部材２３は、廃トナー収容部２２の前壁において、開口２２Ａの上方周縁に固定される。クリーニング部材２３の下端部は、感光ドラム１７の後方の周面に接触する。
【００６１】
クリーニングユニット２１は、クリーニング部材２３によって感光ドラム１７の表面に付着した付着物を掻き取り、開口２２Ａを介して、廃トナー収容部２２内に、掻き取った付着物を回収し貯留するように構成される。
【００６２】
（１−４）切替部材
切替部材４１は、プロセスカートリッジ３において、ドラムカートリッジ１４に対して現像カートリッジ１５が装着され、現像カートリッジ１５の離脱が規制された状態と、ドラムカートリッジ１４に対する現像カートリッジ１５の規制が解除され、現像カートリッジ１５がドラムカートリッジ１４から離脱可能な状態とに切り替える。切替部材４１は、ドラムカートリッジ１４の前端部に位置する。切替部材４１は、ドラムフレーム４０に設けられる。切替部材４１は、規制位置（図２Ａ実線参照）と、規制解除位置（図２Ａ二点鎖線参照）との間を回動する。なお、以下の切替部材４１の説明では、切替部材４１が規制位置に位置した状態を基準とする。切替部材４１は、軸部５６と、操作部５８と、接続部５７と、第２突起５９と、可撓部６０とを備える。
【００６３】
軸部５６は、前後方向において、ストッパ５２よりも感光ドラム１７から離れて位置する。軸部５６は、左右方向に延びる円柱形状を有する。軸部５６は、側壁４４Ｒに回転可能に支持される。
【００６４】
操作部５８は、切替部材４１の上端部に位置する。操作部５８は、切替部材４１を、規制位置（図２Ａ実線参照）から規制解除位置（図２Ａ二点鎖線参照）に回動させるときに、ユーザに操作される。操作部５８は、左右方向および前後方向に延びる。操作部５８は、板形状を有する。
【００６５】
接続部５７は、軸部５６と操作部５８とを接続する。接続部５７は、前後方向および上下方向に延びる。接続部５７は、板形状を有する。
【００６６】
第２突起５９は、軸部５６と操作部５８との間に位置する。第２突起５９は、接続部５７の左右方向内面から、左右方向内方に突出する。第２突起５９は、前後方向および左右方向に延びる。第２突起５９は、板形状を有する。第２突起５９の後端部は、後方に向かうにつれて、上方に向かって屈曲する。第２突起５９と、軸部５６との間隔は、後述する第１突起７１の上下方向寸法と略同じである。
【００６７】
可撓部６０は、軸部５６の下端部から、下方に延びる。可撓部６０は、棒形状を有する。可撓部６０は、側壁４４Ｒのストッパ５２の間に嵌まる。
【００６８】
（２）現像カートリッジ
現像カートリッジ１５は、図３に示すように、上記した現像ローラ２５および供給ローラ２６を支持する現像フレーム６２と、ハンドル６９とを備えている。
【００６９】
（２−１）現像フレームおよびハンドル
現像フレーム６２は、略ボックス形状を有する。現像フレーム６２は、第１突起７１を備える。
【００７０】
第１突起７１は、現像フレーム６２の前端部に位置する。第１突起７１は、現像フレーム６２の右面から、右方に向かって突出する。第１突起７１は、略角柱形状を有する。第１突起７１は、傾斜面７２を有する。
【００７１】
傾斜面７２は、第１突起７１の前端部に位置する。傾斜面７２は、前方に向かうにつれて、上方に傾斜している。
【００７２】
ハンドル６９は、現像カートリッジ１５の前端部に位置する。ハンドル６９は、現像フレーム６２の上端部から連続して前方に向かって延びる。ハンドル６９は、図４に示すように、左右方向に延びる。ハンドル６９は、略角筒形状を有する。ハンドル６９の左右方向寸法は、現像フレーム６２の左右方向寸法よりも小さい。ハンドル６９は、図１に示すように、現像カートリッジ１５が装置本体２に装着された状態で、ドラムカートリッジ１４の前端部よりも、カバー１０に近接している。
【００７３】
（２−２）現像ローラ
現像ローラ２５は、左右方向に延びる。現像ローラ２５は、円柱形状を有する。現像ローラ２５は、現像フレーム６２に回転可能に支持される。現像ローラ２５は、図４に示すように、右方の現像カラー２５ＣＲと、左方の現像カラー２５ＣＬとを備える。
【００７４】
現像カラー２５ＣＲは、現像ローラ２５の右端部に位置する。現像カラー２５ＣＲは、現像フレーム６２よりも右方に位置する。現像カラー２５ＣＲは、左右方向に延びる。現像カラー２５ＣＲは、円筒形状を有する。現像カラー２５ＣＲは、現像ローラ２５の軸の右端部に嵌まる。現像カラー２５ＣＲは、溝部５３Ｒの幅狭部５５Ｒに嵌まる。
【００７５】
現像カラー２５ＣＬは、現像ローラ２５の左端部に位置する。現像カラー２５ＣＬは、現像フレーム６２よりも左方に位置する。現像カラー２５ＣＬは、左右方向に延びる。現像カラー２５ＣＬは、円筒形状を有する。現像カラー２５ＣＬは、現像ローラ２５の軸の左端部に嵌まる。現像カラー２５ＣＬは、溝部５３Ｌの幅狭部５５Ｌに嵌まる。
【００７６】
現像ローラ２５は、感光ドラム１７の前方に位置する。現像ローラ２５は、感光ドラム１７に接触する。
【００７７】
（２−３）ドラムカートリッジに対する現像カートリッジの状態
現像カートリッジ１５は、図３に示すように、ドラムカートリッジ１４の現像カートリッジ装着部４３に装着される。
【００７８】
ドラムカートリッジ１４の切替部材４１が規制位置（図２Ａ実線参照）に位置するときには、現像フレーム６２の第１突起７１は、上下方向において、切替部材４１の軸部５６と第２突起５９との間に嵌まる。第１突起７１が軸部５６と第２突起５９との間に嵌まることにより、現像フレーム６２の前端部の上下方向への移動が、規制される。
【００７９】
このように、ドラムカートリッジ１４の切替部材４１が規制位置に位置するときに、切替部材４１の第２突起５９は、現像フレーム６２の第１突起７１と係合し、ドラムカートリッジ１４に対する現像カートリッジ１５の離脱を規制する。
【００８０】
また、ドラムカートリッジ１４の切替部材４１が規制解除位置（図２Ａ二点鎖線参照）に位置するときには、切替部材４１の第２突起５９は、現像フレーム６２の第１突起７１と係合せず、軸部５６の上方に位置する。
【００８１】
そのため、現像フレーム６２の上方への移動の規制が解除され、現像カートリッジ１５は、ドラムカートリッジ１４から離脱可能な状態となる。
【００８２】
３．装置本体の詳細
装置本体２は、図１および図７に示すように、溝８４および溝８５を有する２つの側壁７５と、手差し搬送部７６と、上記したカバー１０とを備える。
【００８３】
（１）側壁
２つの側壁７５は、左右方向に互いに間隔を隔てて位置する。右方の側壁７５と左方の側壁７５とは、同じ形状であるため、右方の側壁７５のみを詳細に説明し、左方の側壁７５の説明を省略する。
【００８４】
側壁７５は、装置本体２の右端部に位置する。側壁７５は、上下方向および前後方向に延びる。側壁７５は、板形状を有する。
【００８５】
溝８４は、プロセスカートリッジ３の移動を案内するための溝である。詳しくは、溝８４は、プロセスカートリッジ３の感光ドラム１７を転写ローラ１８の上方に案内する。溝８４は、側壁７５の左右方向内面から左右方向外方に向かって窪む。溝８４は、転写ローラ１８の上方と、開口部９とを結ぶように延びる。溝８４は、前後方向に延びる。溝８４の溝幅は、一定である。溝８４は、開放部８６を備える。
【００８６】
開放部８６は、溝８４の前端部に位置する。開放部８６は、溝８４の上面から上方に向かって延びる。
【００８７】
溝８５は、図１および図５に示すように、溝８４の下方に位置する。溝８５は、プロセスカートリッジ３の移動を案内するための溝である。詳しくは、溝８５は、プロセスカートリッジ３の第２搬送ローラ４９を第１搬送ローラ１６の上方に案内する。溝８５は、側壁７５の左右方向内面から左右方向外方に向かって窪む。溝８５は、第１搬送ローラ１６の上方と、開口部９とを結ぶように延びる。
【００８８】
（２）手差し搬送部
手差し搬送部７６は、図１に示すように、後述する手差しトレイ８９上に支持される用紙Ｐに対して、画像を形成するときに用いられる。手差し搬送部７６は、開口部９の下端部に位置する。手差し搬送部７６は、搬送ローラ７８と、搬送ローラ７９と、搬送パッド８０と、第１支持部８１とを備える。
【００８９】
搬送ローラ７８は、その回転により、後述する手差しトレイ８９上の用紙Ｐを、搬送ローラ７９と搬送パッド８０との間に搬送する。
【００９０】
搬送ローラ７９と搬送パッド８０とは、搬送ローラ７９の回転により、用紙Ｐを１枚ずつ捌く。搬送ローラ７９は、用紙Ｐを、第１搬送ローラ１６と第２搬送ローラ４９との間に向けて搬送する。
【００９１】
第１支持部８１は、搬送ローラ７８および搬送ローラ７９を保護する搬送ローラカバーである。第１支持部８１は、搬送ローラ７８および搬送ローラ７９の上方であり、溝８５の下方に位置する。第１支持部８１は、左右方向に見て、下方が開放された略Ｕ字状を有する。第１支持部８１は、左右方向に延びる。第１支持部８１は、板形状を有する。第１支持部８１の左右方向寸法は、図６に示すように、左右方向における側壁４４Ｒと側壁４４Ｌとの間隔よりも大きい。
【００９２】
（３）カバー
カバーは、樹脂材料からなる。カバー１０は、図５に示すように、カバー本体８７と、第２支持部８８と、２つの支持台９１と、２つの押圧部９２と、手差しトレイ８９とを備える。なお、以下のカバー１０の説明では、カバー１０が開位置に位置した状態を基準とする。
【００９３】
カバー本体８７は、前後方向および左右方向に延びる。カバー本体８７は、板形状を有する。カバー本体８７は、第２支持部８８と、手差しトレイ収容部９０を備える。
【００９４】
第２支持部８８は、カバー１０の前端部に位置する。第２支持部８８は、カバー本体８７の前端部から、上方に延びる。第２支持部８８は、手差し搬送部７６の第１支持部８１から、前方に間隔を隔てて位置する。第２支持部８８から、第１支持部８１の前端部までの寸法は、ドラムフレーム４０の前端部から、ドラムフレーム４０の凸部４８Ｒおよび凸部４８Ｌの後端部までの寸法と略同じである。第２支持部８８は、上下方向および左右方向に延びる。第２支持部８８は、板形状を有する。第２支持部８８の下端部がカバー本体８７と連続し、第２支持部８８の上端部が自由端となっているため、第２支持部８８は、カバー本体８７側の端部を支点として、弾性変形可能に構成される。第２支持部８８は、面９３を有する。
【００９５】
面９３は、第２支持部８８の後面である。つまり、面９３は、カバー１０が開位置に位置するときに、後方を向く。
【００９６】
手差しトレイ収容部９０は、第２支持部８８の後方に位置する。手差しトレイ収容部９０は、カバー本体８７の上面から、上方に向かって窪んでいる。手差しトレイ収容部９０は、下方が開放された略ボックス形状を有する。
【００９７】
２つの支持台９１は、手差しトレイ収容部９０の上面に位置する。支持台９１は、上下方向において、手差しトレイ８９よりも上方に位置する。支持台９１は、手差しトレイ収容部９０の上面から上方に向かって突出する。支持台９１は、前後方向に延びる。支持台９１は、角柱形状を有する。２つの支持台９１は、図４に示すように、互いに左右方向に間隔を隔てて位置する。２つの支持台９１の間隔は、現像フレーム６２のハンドル６９の左右方向寸法よりも大きい。図９に示すように、２つの支持台９１の外端間の寸法は、左右方向における側壁４４Ｒおよび側壁４４Ｌの間隔よりも大きい。２つの支持台９１の内端間の寸法は、左右方向における側壁４４Ｒおよび側壁４４Ｌの間隔よりも小さい。
【００９８】
２つの押圧部９２は、図５に示すように、手差しトレイ収容部９０の上面に位置する。押圧部９２は、上下方向において、手差しトレイ８９よりも上方に位置する。押圧部９２は、上下方向に延びる。押圧部９２は、上端部が閉鎖された略円筒形状を有する。押圧部９２は、内部にコイルばねを備える。押圧部９２の下端部は、手差しトレイ収容部９０の上面と接触する。２つの押圧部９２は、図９に示すように、互いに左右方向に間隔を隔てて位置する。２つの押圧部９２の間隔は、２つの支持台９１の間隔よりも小さい。また、押圧部９２の上下方向寸法は、押圧部９２の内部のコイルばねが自然長の状態において、支持台９１の上下方向寸法よりも小さい。
【００９９】
手差しトレイ８９は、図５に示すように、手差しトレイ収容部９０内に位置する。手差しトレイ８９は、前後方向に延びる板形状を有する。手差しトレイ８９は、カバー本体８７に、手差しトレイ８９の後端部を支点として揺動可能に支持される。
【０１００】
４．装置本体に装着されたプロセスカートリッジの配置
プロセスカートリッジ３は、図１に示すように、装置本体２に装着された状態において、プロセスカートリッジ３のすべてが、装置本体２における開口部９より内側の内部空間に位置する。
【０１０１】
なお、装置本体２の内部空間とは、プロセスカートリッジ３が装着可能な空間である。具体的には、装置本体２の内部空間とは、上下方向において、スキャナユニット７と、転写ローラ１８との間の空間であって、前後方向において、定着ユニット８と、閉位置に位置するカバー１０との間の空間である。
【０１０２】
ドラム軸１７Ｂの端部は、側壁７５の溝８４の後端部に嵌まる。
【０１０３】
感光ドラム１７は、転写ローラ１８の上方に位置する。感光ドラム１７は、転写ローラ１８と接触する。
【０１０４】
第２搬送ローラ４９の突出部５０は、側壁７５の溝８５の後端部に嵌まる。
【０１０５】
第２搬送ローラ４９は、第１搬送ローラ１６の上方に位置する。第２搬送ローラ４９は、第１搬送ローラ１６と接触する。
【０１０６】
感光ドラム１７と転写ローラ１８とが接触し、第２搬送ローラ４９と第１搬送ローラ１６とが接触している状態が、プロセスカートリッジ３の装置本体２に対する装着状態である。
【０１０７】
ハンドル６９の前端部は、図４に示すように、閉位置に位置するカバー１０の押圧部９２の後端部と接触する。これにより、現像カートリッジ１５が後方に向かって、押圧され、現像ローラ２５が、ドラムカートリッジ１４の感光ドラム１７に向けて押圧される。
【０１０８】
また、閉位置に位置するカバー１０の２つの支持台９１は、プロセスカートリッジ３から離間している。
【０１０９】
５．現像カートリッジの着脱動作
（１）現像カートリッジの離脱
現像カートリッジ１５をドラムカートリッジ１４から離脱するときには、ユーザは、図５に示すように、装置本体２のカバー１０を開位置に位置させる。
【０１１０】
すると、カバー１０の第２支持部８８は、第１支持部８１の前方に間隔を隔てて位置する。第２支持部８８の面９３は、後方を向く。
【０１１１】
次いで、ユーザは、ハンドル６９を把持して、プロセスカートリッジ３を引き出す。
【０１１２】
すると、第２搬送ローラ４９の突出部５０は、側壁７５の溝８５に沿って、開口部９に向かって移動する。
【０１１３】
また、このとき、感光ドラム１７のドラム軸１７Ｂの端部は、側壁７５の溝８４に沿って、開口部９に向かって移動する。
【０１１４】
プロセスカートリッジ３の引き出し途中において、図５および図６に示すように、感光ドラム１７が、手差し搬送部７６の第１支持部８１の上方を通過する。
【０１１５】
このとき、凸部４８Ｒおよび凸部４８Ｌは、感光ドラム１７よりも、第１支持部８１に近接する。
【０１１６】
そして、ユーザは、図７に示すように、プロセスカートリッジ３を、装置本体２から離脱させる。ユーザは、プロセスカートリッジ３を、第１支持部８１、第２支持部８８、および、２つの支持台９１に支持させる。
【０１１７】
具体的には、ユーザは、ドラムフレーム４０のクリーニングユニット２１の廃トナー収容部２２を、第１支持部８１に支持させる。つまり、第１支持部８１は、ドラムフレーム４０の後端部を支持する。
【０１１８】
このとき、凸部４８Ｒおよび凸部４８Ｌは、第１支持部８１の前端部に当接する。
【０１１９】
また、ユーザは、ドラムフレーム４０の前端部を、カバー１０の第２支持部８８の面９３に接触させる。ドラムフレーム４０は、面９３によって、前方への移動を規制される。第２支持部８８は、ドラムフレーム４０の前端部を支持する。
【０１２０】
このとき、第２支持部８８が、前方に撓むことにより、ドラムフレーム４０は、第２支持部８８と、第１支持部８１との間に、確実に挟持される。
【０１２１】
これにより、ドラムフレーム４０の前後方向において、凸部４８Ｒおよび凸部４８Ｌから、下壁４７の前端部にかけてが、第１支持部８１と第２支持部８８との間に位置する。ドラムフレーム４０は、第１支持部８１と第２支持部８８との間に挟持される。
【０１２２】
ドラムフレーム４０の下端部は、クリーニングユニット２１と、前壁４５との間で、カバー１０の２つの支持台９１と接触する。２つの支持台９１は、ドラムフレーム４０の下端部を支持する。
【０１２３】
こうして、プロセスカートリッジ３は、第１支持部８１と第２支持部８８とによって挟持され、２つの支持台９１に支持される。プロセスカートリッジ３は、装置本体２の第１支持部８１と、カバー１０とによって、装置本体２に対して固定される。
【０１２４】
このとき、プロセスカートリッジ３の前端部は、装置本体２の開口部９より外側に位置する。具体的には、ドラムカートリッジ１４の切替部材４１、および、現像カートリッジ１５のハンドル６９が、装置本体２の開口部９より外側に位置する。
【０１２５】
また、感光ドラム１７は、転写ローラ１８から離間している。感光ドラム１７の後端部が装置本体２の内部空間に位置している。
【０１２６】
また、カバー１０の２つの押圧部９２は、上下方向において、プロセスカートリッジ３から離間している。
【０１２７】
次いで、ユーザは、プロセスカートリッジ３が装置本体２に対して固定された状態で、ドラムカートリッジ１４から現像カートリッジ１５を離脱させる。
【０１２８】
ドラムカートリッジ１４から現像カートリッジ１５を離脱させるには、ユーザは、図２Ａに示すように、操作部５８を操作し、軸部５６を支点として、切替部材４１を、左側面視時計回りに回転させる。
【０１２９】
すると、図２Ａの仮想線に示すように、切替部材４１の接続部５７は、ドラムカートリッジ１４の前壁４５の上端部に当接する。このとき、第２突起５９は、第１突起７１の前方に位置する。
【０１３０】
また、切替部材４１の可撓部６０の下端部は、ストッパ５２の上端部に接触した状態で撓む。
【０１３１】
こうして、切替部材４１は、規制位置から規制解除位置に移動する。
【０１３２】
次いで、ユーザは、図７に示すように、切替部材４１が規制解除位置に位置した状態で、ハンドル６９を把持して、現像カートリッジ１５を引き抜く。すると、現像カートリッジ１５は、ドラムカートリッジ１４から離脱する。
【０１３３】
現像カートリッジ１５が離脱された後において、ドラムカートリッジ１４は、装置本体２に対して固定されている。
【０１３４】
（２）現像カートリッジの装着
現像カートリッジ１５をドラムカートリッジ１４に装着するには、図７に示すように、ユーザは、装置本体２に固定されるドラムカートリッジ１４に対して、現像カートリッジ１５を装着する。
【０１３５】
具体的には、現像カートリッジ１５は、ドラムカートリッジ１４の現像カートリッジ装着部４３に装着される。
【０１３６】
すると、現像カートリッジ１５の第１突起７１の傾斜面７２が、切替部材４１の第２突起５９に対して、上方から当接する。これにより、切替部材４１は、図２Ａに示すように、軸部５６を支点として、左側面視時計周りに回転する。
【０１３７】
そして、切替部材４１は、第１突起７１が、第２突起５９よりも下方に位置すると、可撓部６０の弾性力により、左側面視反時計回りに回転する。
【０１３８】
すると、第１突起７１は、第２突起５９と、軸部５６との間に位置する。
【０１３９】
このように、第２突起５９が第１突起７１と係合することで、ドラムカートリッジ１４に対する現像カートリッジ１５の装着が完了する。
【０１４０】
次いで、ユーザは、図５に示すように、ハンドル６９を把持してプロセスカートリッジ３を持ち上げる。
【０１４１】
ユーザは、図１に示すように、プロセスカートリッジ３を装置本体２内に押し込む。
【０１４２】
そして、ユーザは、カバー１０を閉位置に位置させる。
【０１４３】
６．プロセスカートリッジの着脱動作
プロセスカートリッジ３は、ドラムカートリッジ１４を交換するときや、用紙Ｐが詰まったときに、装置本体２から離脱される。
【０１４４】
プロセスカートリッジ３を装置本体２から離脱するときには、ユーザは、プロセスカートリッジ３が装置本体２に装着された状態から、ハンドル６９を把持して、図５に示すように、前後方向に沿って、プロセスカートリッジ３を引き出す。
【０１４５】
以上により、プロセスカートリッジ３が装置本体２から離脱される。
【０１４６】
また、プロセスカートリッジ３は、図７に示すように、第１支持部８１、第２支持部８８、および、２つの支持台９１に支持された状態からでも、離脱される。
【０１４７】
具体的には、ユーザは、ハンドル６９を把持して、図８に示すように、ドラムフレーム４０の面９３に対する当接を解除するようにして、プロセスカートリッジ３を引き出す。
【０１４８】
このとき、図９に示すように、感光ドラム１７が、カバー１０に近づくように移動する場合があるが、凸部４８Ｒが、感光ドラム１７よりも、右方の支持台９１に近接し、凸部４８Ｌが、感光ドラム１７よりも、左方の支持台９１に近接する。
【０１４９】
そのため、感光ドラム１７の円筒部１７Ａは、カバー１０と接触することを抑制される。
【０１５０】
以上により、プロセスカートリッジ３が装置本体２から離脱される。
【０１５１】
プロセスカートリッジ３を装置本体２に装着するときには、ユーザは、プロセスカートリッジ３を、開口部９から、装置本体２内に押し込む。
【０１５２】
これにより、図１に示すように、プロセスカートリッジ３が装置本体２内に装着される。
【０１５３】
７．作用効果
（１）この画像形成装置１によれば、図７に示すように、装置本体２の第１支持部８１が、装置本体２から離脱されたプロセスカートリッジ３のドラムフレーム４０の後端部を支持する。また、カバー１０の第２支持部８８が、装置本体２から離脱されたプロセスカートリッジ３のドラムフレーム４０の前端部を支持する。
【０１５４】
そして、プロセスカートリッジ３のドラムフレーム４０の前方への移動は、第２支持部８８の面９３によって規制される。
【０１５５】
そのため、プロセスカートリッジ３は、装置本体２とカバー１０とによって確実に固定される。
【０１５６】
その結果、プロセスカートリッジ３が、固定された状態で、ドラムカートリッジ１４に対して、現像カートリッジ１５が容易に交換される。
【０１５７】
（２）この画像形成装置１によれば、図７に示すように、ドラムフレーム４０の凸部４８Ｒおよび凸部４８Ｌから、下壁４７の前端部にかけてが、第１支持部８１と第２支持部８８との間に挟持される。
【０１５８】
そのため、プロセスカートリッジ３の前方への移動が、確実に規制される。
【０１５９】
（３）この画像形成装置１によれば、図７に示すように、プロセスカートリッジ３は、切替部材４１が開口部９よりも装置本体２の外側に位置した状態で、第１支持部８１および第２支持部８８に支持される。
【０１６０】
そのため、ユーザは、切替部材４１を容易に操作することができる。
【０１６１】
その結果、プロセスカートリッジ３が、第１支持部８１および第２支持部８８に安定して支持された状態で、ドラムカートリッジ１４に対して、現像カートリッジ１５が容易に交換される。
【０１６２】
（４）この画像形成装置１によれば、図２Ａおよび図３に示すように、切替部材４１がドラムフレーム４０に設けられているので、ドラムカートリッジ１４に対して現像カートリッジ１５が装着されたときに、ドラムカートリッジ１４に対する現像カートリッジ１５の離脱を確実に規制することができる。
【０１６３】
（５）この画像形成装置１によれば、図７に示すように、プロセスカートリッジ３は、ハンドル６９が開口部９よりも装置本体２の外側に位置した状態で、第１支持部８１および第２支持部８８に支持される。
【０１６４】
そのため、ユーザは、ハンドル６９を容易に操作することができる。
【０１６５】
その結果、プロセスカートリッジ３が、第１支持部８１および第２支持部８８に安定して支持された状態から、ユーザは、ハンドル６９を把持して、プロセスカートリッジ３の移動、および、ドラムカートリッジ１４に対する現像カートリッジ１５の着脱ができる。
【０１６６】
（６）この画像形成装置１によれば、図７に示すように、プロセスカートリッジ３は、第１支持部８１および第２支持部８８だけでなく、カバー１０の２つの支持台９１に支持される。
【０１６７】
そのため、装置本体２から離脱されたプロセスカートリッジ３は、装置本体２とカバー１０とによって、より確実に固定される。
【０１６８】
（７）この画像形成装置１によれば、図７に示すように、２つの支持台９１は、第１方向において、第１支持部８１に支持されるプロセスカートリッジ３の後端部と、第２支持部８８に支持されるプロセスカートリッジ３の前端部との間で、プロセスカートリッジ３を支持する。
【０１６９】
そのため、プロセスカートリッジ３は、装置本体２とカバー１０とによって、より安定して、固定される。
【０１７０】
（８）この画像形成装置１によれば、図１および図４に示すように、プロセスカートリッジ３が装置本体２に装着され、カバー１０が閉位置に位置するときに、２つの支持台９１がプロセスカートリッジ３から離間する。
【０１７１】
そのため、２つの支持台９１は、プロセスカートリッジ３に不要な力をかけないので、画像形成動作が安定する。
【０１７２】
（９）この画像形成装置１によれば、図１および図４に示すように、２つの押圧部９２は、カバー１０が閉位置に位置するときに、装置本体２に装着されるプロセスカートリッジ３の現像カートリッジ１５を感光ドラム１７に向けて押圧する。
【０１７３】
そのため、現像ローラ２５が感光ドラム１７と確実に接触する。
【０１７４】
その結果、トナーが感光ドラム１７に確実に供給される。
【０１７５】
また、図７に示すように、カバー１０が開位置に位置するときに、２つの押圧部９２が、プロセスカートリッジ３から離間する。
【０１７６】
その結果、第１支持部８１、第２支持部８８、および、２つの支持台９１が、プロセスカートリッジ３を確実に支持することができる。
【０１７７】
（１０）この画像形成装置１によれば、図７に示すように、カバー１０が開位置に位置し、プロセスカートリッジ３が第１支持部８１および第２支持部８８に支持されたときに、押圧部９２は、プロセスカートリッジ３の下方に間隔を隔てて位置する。
【０１７８】
そのため、プロセスカートリッジ３は、第１支持部８１、第２支持部８８、および、２つの支持台９１に、確実に支持される。
【０１７９】
（１１）この画像形成装置１によれば、図１および図４に示すように、カバー１０が、２つの支持台９１および２つの押圧部９２の両方を備えることができながら、図７に示すように、カバー１０が開位置に位置するときに、２つの支持台９１が、装置本体２から離脱されたプロセスカートリッジ３を支持することができ、図３および図４に示すように、カバー１０が閉位置に位置するときに、２つの押圧部９２が、装置本体２に装着されるプロセスカートリッジ３の現像カートリッジ１５を押圧することができる。
【０１８０】
（１２）この画像形成装置１によれば、図１に示すように、第１支持部８１は、搬送ローラ７８および搬送ローラ７９を被覆する搬送ローラカバーを含むので、部品点数の低減を図ることができる。
【０１８１】
（１３）この画像形成装置１によれば、図７に示すように、第１支持部８１が、感光ドラム１７と接触することなく、ドラムフレーム４０のクリーニングユニット２１の廃トナー収容部２２を支持する。
【０１８２】
そのため、プロセスカートリッジ３が第１支持部８１と第２支持部８８とに支持された状態で、感光ドラム１７が、確実に保護される。
【０１８３】
８．第２実施形態
次に、図１０および図１１を参照して、本発明の画像形成装置の第２実施形態を説明する。なお、第２実施形態において、上記した第１実施形態と同様の部材には同様の符号を付し、その説明を省略する。
【０１８４】
上記した第１実施形態では、図７に示すように、転写ローラ１８が、装置本体２に備えられる。対して、第２実施形態では、図１０および図１１に示すように、転写ローラ１８が、ドラムカートリッジ１４の転写ローラ収容部１１０に備えられる。
【０１８５】
転写ローラ収容部１１０は、ドラムカートリッジ１４の後端部に位置する。転写ローラ収容部１１０は、感光ドラム１７の下方に位置する。転写ローラ収容部１１０は、左右方向に見て、上方が開放された略Ｕ字形状を有する。転写ローラ収容部１１０は、左右方向に延びる。転写ローラ収容部１１０は、転写ローラ１８を回転可能に受け入れる。
【０１８６】
これにより、転写ローラ１８は、プロセスカートリッジ３とともに、装置本体２に対して着脱される。
【０１８７】
そして、プロセスカートリッジ３は、図１１に示すように、上記した第１実施形態と同様に、装置本体２から離脱され、第１支持部８１、第２支持部８８、および、２つの支持台９１に支持される。
【０１８８】
このとき、転写ローラ１８を支持する転写ローラ収容部１１０は、前後方向において、第１支持部８１と、２つの第２支持部８８との間に位置する。
【０１８９】
第２実施形態の画像形成装置１によれば、図１１に示すように、ドラムカートリッジ１４が転写ローラ１８を備えている。
【０１９０】
そのため、ドラムカートリッジ１４が装置本体２から離脱することで、転写ローラ１８を装置本体２の外側に位置させることができる。
【０１９１】
その結果、感光ドラム１７と転写ローラ１８との間に、用紙Ｐが詰まったときに、詰まった用紙Ｐを、容易に取り除ける。
【０１９２】
また、感光ドラム１７は、プロセスカートリッジ３が装置本体２から離脱された状態において、転写ローラ収容部１１０によって、保護される。
【０１９３】
また、このような第２実施形態においても、上記した第１実施形態と同様の作用効果を奏することができる。
【０１９４】
９．第３実施形態
次に、図１２Ａおよび図１２Ｂを参照して、本発明の画像形成装置の第３実施形態を説明する。なお、第３実施形態において、上記した第１実施形態と同様の部材には同様の符号を付し、その説明を省略する。
【０１９５】
第１実施形態では、図７に示すように、プロセスカートリッジ３の前端部は、カバー１０のみに支持されている。
【０１９６】
対して、第３実施形態では、図１２Ａおよび図１２Ｂに示すように、プロセスカートリッジ３の前端部は、補強部１２０により補強されたカバー１０により、支持される。
【０１９７】
補強部１２０は、図１２Ｂに示すように、側壁７５と、カバー１０との間に位置する。補強部１２０は、側壁７５の上端部と、カバー１０のカバー本体８７における第２支持部８８側の端部とを連結する。補強部１２０は、第１部分１２１と、第２部分１２２とを備える。
【０１９８】
第１部分１２１は、棒形状を有する。第１部分１２１の一端部は、側壁７５の上端部に屈曲可能に固定される。第１部分１２１の他端部は、第２部分１２２に屈曲可能に接続される。
【０１９９】
第２部分１２２は、棒形状を有する。第２部分１２２の一端部は、カバー１０のカバー本体８７における第２支持部８８側の端部に屈曲可能に固定される。第２部分１２２の他端部は、上記したように、第１部分１２１に屈曲可能に接続される。
【０２００】
カバー１０が閉位置に位置するときには、図１２Ａに示すように、補強部１２０は、第１部分１２１の一端部と、第２部分１２２の一端部とが近づくように、第１部分１２１と第２部分１２２との接続部分が折れ曲がる。
【０２０１】
これにより、補強部１２０は、側壁７５とカバー１０との間に収容される。
【０２０２】
カバー１０が開位置に位置するときには、図１２Ｂに示すように、補強部１２０は、側壁７５の上端部と、カバー１０のカバー本体８７における第２支持部８８側の端部とを架設するように延びる。
【０２０３】
これにより、補強部１２０は、開位置に位置するカバー１０を補強する。
【０２０４】
第３実施形態の画像形成装置１によれば、図１２Ｂに示すように、カバー１０は、開位置に位置するときに、補強部１２０によって、補強される。
【０２０５】
そのため、カバー１０は、装置本体２から離脱されたプロセスカートリッジ３を、より安定して支持することができる。
【０２０６】
また、このような第３実施形態においても、上記した第１実施形態と同様の作用効果を奏することができる。
【０２０７】
１０．第４実施形態
次に、図１３〜図１５を参照して、本発明の画像形成装置の第４実施形態を説明する。なお、第４実施形態において、上記した第１実施形態と同様の部材には同様の符号を付し、その説明を省略する。
【０２０８】
（１）第４実施形態の構成
第１実施形態では、図１に示すように、プロセスカートリッジ３が、現像ローラ２５および供給ローラ２６を備える現像カートリッジ１５を備えるのに対し、第４実施形態では、図１３に示すように、プロセスカートリッジ３が、トナーを収容するトナーカートリッジ１４８を備える。
【０２０９】
（１−１）ドラムカートリッジの構成
第４実施形態では、ドラムカートリッジ１４は、上記した感光ドラム１７と、ドラムフレーム４０とを備える。また、ドラムカートリッジ１４は、現像器１５０と、受入口１５２を有する円弧壁１５１とを備える。
【０２１０】
現像器１５０は、ドラムカートリッジ１４の前後方向略中央に位置する。現像器１５０は、左右方向に延びる。現像器１５０は、略角筒形状を有する。現像器１５０は、内部にトナーを収容する。現像器１５０は、上記した現像ローラ２５、供給ローラ２６および層厚規制ブレード２７を備える。
【０２１１】
円弧壁１５１は、ドラムカートリッジ１４の前後方向略中央に位置する。円弧壁１５１は、現像器１５０の前壁を兼ねる。円弧壁１５１は、上方に向かうにつれて、前方に向かって湾曲する。円弧壁１５１は、下方に向かうにつれて、前方に向かって湾曲する。円弧壁１５１は、略円弧形状を有する。
【０２１２】
受入口１５２は、円弧壁１５１の上下方向略中央に位置する。受入口１５２は、円弧壁１５１を前後方向に貫通する。これにより、現像器１５０の内外が連通している。
【０２１３】
なお、ドラムフレーム４０において、円弧壁１５１よりも前方の領域が、トナーカートリッジ１４８が装着されるトナーカートリッジ装着部１５４である。
【０２１４】
また、ドラムカートリッジ１４の側壁４４Ｒは、第１実施形態の溝部５３Ｒを備えず、溝部１５６を備える。
【０２１５】
溝部１５６は、ドラムカートリッジ１４に対するトナーカートリッジ１４８の着脱を案内するための溝である。溝部１５６は、トナーカートリッジ装着部１５４に位置する。溝部１５６は、側壁４４Ｒの左右方向内面から、左右方向外方に向かって窪む。溝部１５６は、前後方向に延びる。溝部１５６は、前方が開放される。溝部１５６は、幅広部１５７と、幅狭部１５８と、第１係合部１５９とを備える。
【０２１６】
幅広部１５７は、溝部１５６の前端部に配置される。幅広部１５７は、後方に向かうにつれて、幅狭となる。
【０２１７】
幅狭部１５８は、幅広部１５７の後端部から連続して、後方に向かって延びる。幅狭部１５８の溝幅は、一定である。
【０２１８】
第１係合部１５９は、幅狭部１５８の後端部から連続して、上方に向かって延びる。第１係合部１５９は、凹形状を有する。第１係合部１５９は、円弧壁１５１の内周面に沿っている。
【０２１９】
側壁４４Ｌは、側壁４４Ｒと同様に、溝部１５６を備える。
【０２２０】
（１−２）トナーカートリッジの構成
トナーカートリッジ１４８は、ドラムカートリッジ１４のトナーカートリッジ装着部１５４に装着される。トナーカートリッジ１４８は、図１５Ａおよび図１５Ｂに示すように、第１開口部１６５を有する収容筒１６２と、切替部材１６３とを備える。
【０２２１】
収容筒１６２は、左右方向に延びる。収容筒１６２は、略円筒形状を有する。収容筒１６２は、左方の閉鎖壁１６６Ｌと、右方の閉鎖壁１６６Ｒとを備える。
【０２２２】
閉鎖壁１６６Ｌは、収容筒１６２の左端部を閉鎖する。閉鎖壁１６６Ｌは、側面視略円形状を有する。閉鎖壁１６６Ｌは、板形状を有する。閉鎖壁１６６Ｌは、ボス１７０Ｌと、２つのストッパ１７１Ｌとを備える。
【０２２３】
ボス１７０Ｌは、閉鎖壁１６６Ｌの左右方向外面から、左右方向外方に突出する。ボス１７０Ｌは、前後方向に延びる。ボス１７０Ｌは、略角柱形状を有する。ボス１７０Ｌは、側壁４４Ｌの幅狭部１５８に嵌まる。
【０２２４】
２つのストッパ１７１Ｌは、閉鎖壁１６６Ｌにおいて、前後方向に間隔を隔てて位置する。２つのストッパ１７１Ｌは、閉鎖壁１６６Ｌの周縁部に位置する。具体的には、後方のストッパ１７１Ｌは、ボス１７０Ｌの後端部よりも上方に位置する。前方のストッパ１７１Ｌは、ボス１７０Ｌの前端部よりも下方に位置する。ストッパ１７１Ｌは、閉鎖壁１６６Ｌの左右方向外面から、左右方向外方に突出する。ストッパ１７１Ｌは、円柱形状を有する。
【０２２５】
閉鎖壁１６６Ｒは、収容筒１６２の右端部を閉鎖する。閉鎖壁１６６Ｒは、閉鎖壁１６６Ｌと同じ形状を有する。図１３に示すように、閉鎖壁１６６Ｒのボス１７０Ｒは、側壁４４Ｒの幅狭部１５８に嵌まる。
【０２２６】
アジテータ１６７は、収容筒１６２の中央に位置する。アジテータ１６７は、収容筒１６２の内部のトナーを撹拌する。
【０２２７】
第１開口部１６５は、図１５Ａに示すように、収容筒１６２の後端部に位置する。第１開口部１６５は、収容筒１６２の後端部を前後方向に貫通する。これにより、収容筒１６２の内外が連通している。第１開口部１６５は、図１３に示すように、前後方向において、受入口１５２と重なっている。
【０２２８】
切替部材１６３は、プロセスカートリッジ３において、ドラムカートリッジ１４に対してトナーカートリッジ１４８が装着され、トナーカートリッジ１４８の離脱が規制された状態と、ドラムカートリッジ１４に対するトナーカートリッジ１４８の規制が解除され、トナーカートリッジ１４８がドラムカートリッジ１４から離脱可能な状態とに切り替える。切替部材１６３は、規制位置（図１３参照）と、規制解除位置（図１４参照）との間を回動する。なお、以下の切替部材１６３の説明では、プロセスカートリッジ３が第１支持部８１、第２支持部８８、および、２つの支持台９１に支持され、ドラムカートリッジ１４に対してトナーカートリッジ１４８が装着され、切替部材１６３が規制位置に位置した状態を基準とする。切替部材１６３は、第２開口部１７６を有する外周筒１７４と、操作部１７５とを備える。
【０２２９】
外周筒１７４は、収容筒１６２の外周に設けられる。外周筒１７４は、左右方向に延びる。外周筒１７４は、円筒形状を有する。外周筒１７４は、図１５Ｂに示すように、円環部１７８を備える。円環部１７８は、外周筒１７４の左右方向両端部に位置する。つまり、円環部１７８は、２つ設けられている。左方の円環部１７８と、右方の円環部１７８とは同じ形状を有する。そこで、以下の円環部１７８の説明では、左方の円環部１７８について説明し、右方の円環部１７８の説明を省略する。
【０２３０】
円環部１７８は、外周筒１７４の左端部に位置する。円環部１７８は、収容筒１６２よりも左右方向外方に位置する。円環部１７８は、外周筒１７４の周縁から、外周筒１７４の径方向内方に延びる。円環部１７８は、板形状を有する。円環部１７８は、第２係合部１８２と、２つの当接部１８３を備える。
【０２３１】
第２係合部１８２は、円環部１７８の後端部に位置する。第２係合部１８２は、ボス１７０Ｌが延びる方向に沿う仮想線Ｘよりも上方に位置する。第２係合部１８２は、円環部１７８の左右方向外面から、左右方向外方に延びる。第２係合部１８２は、円柱形状を有する。第２係合部１８２は、凸形状を有する。第２係合部１８２は、側壁４４Ｌの第１係合部１５９に嵌まる。つまり、第２係合部１８２は、第１係合部１５９と係合する。
【０２３２】
２つの当接部１８３は、円環部１７８において、前後方向に間隔を隔てて位置する。当接部１８３は、円環部１７８の内周縁に位置する。当接部１８３は、円環部１７８の内周縁から、円環部１７８の径方向内方に向かって延びる。当接部１８３は、角柱形状を有する。具体的には、後方の当接部１８３は、円環部１７８の後端部に位置する。後方の当接部１８３は、第２係合部１８２の前方に位置する。後方の当接部１８３は、後方のストッパ１７１Ｌの下端部に当接する。前方の当接部１８３は、円環部１７８の前端部に位置する。前方の当接部１８３は、前方のストッパ１７１Ｌの上端部に当接する。
【０２３３】
第２開口部１７６は、図１５Ａに示すように、外周筒１７４の後端部に位置する。第２開口部１７６は、外周筒１７４の後端部を前後方向に貫通する。第２開口部１７６は、図１３に示すように、前後方向において、第１開口部１６５および受入口１５２と一致する。これにより、収容筒１６２と、現像器１５０とが連通する。
【０２３４】
操作部１７５は、切替部材１６３の前端部に位置する。操作部１７５は、プロセスカートリッジ３が第１支持部８１、第２支持部８８、および、２つの支持台９１に支持されるときに、装置本体２の内部空間よりも外側に位置する。また、図示しないが、操作部１７５は、プロセスカートリッジ３が装置本体２に装着されたときには、装置本体２の内部空間に位置する。操作部１７５は、外周筒１７４の前端部から連続して、前方に向かって延びる。操作部１７５は、左右方向に延びる。操作部１７５は、略角筒形状を有する。
【０２３５】
切替部材１６３は、上記した規制位置から、操作部１７５が上方に移動し、外周筒１７４が、収容筒１６２の周面に沿って、左側面視反時計回りに回転することで、規制解除位置（図１４参照）に移動する。
【０２３６】
切替部材１６３が規制解除位置に位置するときには、図１５Ｃおよび図１５Ｄに示すように、操作部１７５は、前上方に向かって延びている。
【０２３７】
円環部１７８の後方の当接部１８３は、後方のストッパ１７１Ｌの下方に位置する。円環部１７８の前方の当接部１８３は、前方のストッパ１７１Ｌの上方に位置する。円環部１７８の第２係合部１８２は、ボス１７０Ｌが延びる仮想線Ｘ上に位置する。
【０２３８】
そして、外周筒１７４の第２開口部１７６は、第１開口部１６５からずれるように下方に位置し、外周筒１７４の周面は、第１開口部１６５を閉鎖する。
【０２３９】
（２）トナーカートリッジの着脱動作
トナーカートリッジ１４８をドラムカートリッジ１４から離脱するときには、図１３に示すように、ユーザは、第１実施形態と同様に、カバー１０を開位置に位置させる。
【０２４０】
そして、ユーザは、プロセスカートリッジ３を装置本体２から離脱させ、第１支持部８１、第２支持部８８、および、２つの支持台９１に支持させる。
【０２４１】
次いで、ユーザは、図１４に示すように、ドラムカートリッジ１４が第１支持部８１、第２支持部８８、および、２つの支持台９１に支持された状態で、ドラムカートリッジ１４からトナーカートリッジ１４８を離脱させる。
【０２４２】
ドラムカートリッジ１４からトナーカートリッジ１４８を離脱させるには、ユーザは、切替部材１６３の操作部１７５を操作し、外周筒１７４を左側面視反時計回りに回転させる。
【０２４３】
すると、第２係合部１８２が、第１係合部１５９の下端部まで移動し、幅狭部１５８の下端部と当接する。これにより、円環部１７８の第２係合部１８２は、仮想線Ｘ上に位置する。
【０２４４】
また、外周筒１７４の第２開口部１７６は、第１開口部１６５からずれるように下方に移動し、外周筒１７４の周面は、第１開口部１６５を閉鎖する。
【０２４５】
こうして、切替部材１６３は、規制解除位置に位置し、ドラムカートリッジ１４に対するトナーカートリッジ１４８の規制が解除され、トナーカートリッジ１４８がドラムカートリッジ１４から離脱可能な状態となる。
【０２４６】
次いで、ユーザは、ドラムカートリッジ１４から離脱可能な状態となったトナーカートリッジ１４８の操作部１７５を把持して、トナーカートリッジ１４８を引き抜く。すると、ボス１７０Ｌおよび左方の第２係合部１８２が、左方の幅狭部１５８および幅広部１５７に案内される。また、ボス１７０Ｒおよび右方の第２係合部１８２が、右方の幅狭部１５８および幅広部１５７に案内される。こうして、トナーカートリッジ１４８は、ドラムカートリッジ１４から離脱する。
【０２４７】
トナーカートリッジ１４８をドラムカートリッジ１４に装着するには、ユーザは、第１支持部８１、第２支持部８８、および、２つの支持台９１に支持されるドラムカートリッジ１４に対して、トナーカートリッジ１４８を装着する。
【０２４８】
具体的には、左方の第２係合部１８２およびボス１７０Ｌが、左方の幅広部１５７および幅狭部１５８に案内される。また、右方の第２係合部１８２およびボス１７０Ｒが、右方の幅広部１５７および幅狭部１５８に案内される。
【０２４９】
次いで、ユーザは、操作部１７５を操作し、外周筒１７４を左側面視時計回りに回転させる。
【０２５０】
こうして、切替部材１６３は、規制位置に位置し、ドラムカートリッジ１４に対してトナーカートリッジ１４８が装着され、トナーカートリッジ１４８の離脱が規制された状態となる。
【０２５１】
以上により、ドラムカートリッジ１４に対するトナーカートリッジ１４８の装着が完了する。
【０２５２】
次いで、ユーザは、プロセスカートリッジ３を、装置本体２内に押し込む。
【０２５３】
そして、カバー１０を閉位置に位置させる。
【０２５４】
これにより、プロセスカートリッジ３が装置本体２内に装着される。
【０２５５】
（３）第４実施形態の作用効果
このような第４実施形態においても、第１実施形態と同様の作用効果を奏することができる。
【０２５６】
１１．変形例
本発明は、上記した実施形態に限定されない。上記した実施形態では、クリーニング部材２３は板形状を有するクリーニングブレードであるが、例えば、クリーニング部材２３は円柱形状を有するクリーニングローラであってもよい。
【０２５７】
また、上記した実施形態では、手差し搬送部７６は、搬送ローラ７８および搬送ローラ７９を保護する搬送ローラカバーとしての第１支持部８１を備えるが、例えば、手差し搬送部７６は、第１支持部８１とは別部材として、第１支持部８１と、搬送ローラ７８および搬送ローラ７９との間に位置する搬送ローラカバーを備えてもよい。
【０２５８】
また、上記した第３実施形態では、補強部１２０の第１部分１２１および第２部分１２２は、棒形状を有するが、例えば、第１部分１２１および第２部分１２２は、板形状を有してもよい。
【符号の説明】
【０２５９】
１      画像形成装置
２      装置本体
３      プロセスカートリッジ
９      開口部
１０    カバー
１４    ドラムカートリッジ
１５    現像カートリッジ
１７    感光ドラム
２１    クリーニングユニット
２２    廃トナー収容部
２３    クリーニング部材
４０    ドラムフレーム
４１    切替部材
６９    ハンドル
７８    搬送ローラ
７９    搬送ローラ
８１    第１支持部
８８    第２支持部
９１    支持台
９２    押圧部
１４８  トナーカートリッジ
１６３  切替部材
【図１】
0006707877.tif 000002
【図２】
0006707877.tif 000003
【図３】
0006707877.tif 000004
【図４】
0006707877.tif 000005
【図５】
0006707877.tif 000006
【図６】
0006707877.tif 000007
【図７】
0006707877.tif 000008
【図８】
0006707877.tif 000009
【図９】
0006707877.tif 000010
【図１０】
0006707877.tif 000011
【図１１】
0006707877.tif 000012
【図１２】
0006707877.tif 000013
【図１３】
0006707877.tif 000014
【図１４】
0006707877.tif 000015
【図１５】
0006707877.tif 000016